(57)【要約】【課題】インストルメントパネルの裏側に機能部品を配置するスペースを確保して、フロントガラス及びサイドガラスの曇り又は霜の除去を効果的に行うことができるデフロスタダクトを提供すること。【解決手段】デフロスタダクト１は、車両のインストルメントパネル１１の裏側において、車幅方向Ｗに延びて配置されており、フロント主吹出口２、サイド吹出口３及びフロント副吹出口４を有する。フロント副吹出口４は、デフロスタダクト１における、フロント主吹出口２とサイド吹出口３との間に設けられている。フロント副吹出口４は、フロントガラス１２に向けて空調エアを吹き出すものである。【選択図】図１
2017144800.tif 000002
【特許請求の範囲】
【請求項１】
車両のインストルメントパネルの裏側において、車幅方向に延びて配置されるデフロスタダクトであって、
該デフロスタダクトの中央部分に設けられ、フロントガラスに向けて空調エアを吹き出すためのフロント主吹出口と、
上記デフロスタダクトの左右の端部に設けられ、サイドガラスに向けて空調エアを吹き出すためのサイド吹出口と、
上記デフロスタダクトにおける、上記フロント主吹出口と上記サイド吹出口との間に設けられ、上記フロントガラスに向けて空調エアを吹き出すためのフロント副吹出口と、を備えるデフロスタダクト。
【請求項２】
上記フロント副吹出口は、上記デフロスタダクトから分岐した分岐ダクトに設けられており、
上記フロント副吹出口の開口面積は、上記フロント主吹出口の開口面積及び上記サイド吹出口の開口面積の各々よりも小さい、請求項１に記載のデフロスタダクト。
【請求項３】
上記インストルメントパネルには、該インストルメントパネルの表面の一部を形成する、内装部品としてのパネルが配置されており、
該パネルの裏側には、スピーカが配置されており、
上記フロント副吹出口は、上記スピーカと並んで上記パネルの裏側に配置されている、請求項１又は２に記載のデフロスタダクト。
【請求項４】
上記パネルには、上記スピーカからの出力音を車両室内へ出力させるとともに上記フロント副吹出口から吹き出される空調エアを上記車両室内へ吹き出させるための貫通孔が設けられている、請求項３に記載のデフロスタダクト。
【請求項５】
上記インストルメントパネルの裏側における、上記フロント主吹出口の形成箇所に対する上記車幅方向の外側の位置には、機能部品が配置されており、
上記デフロスタダクトの一部は、下方に屈曲して上記機能部品の下方に配置されており、
上記フロント副吹出口は、上記デフロスタダクトにおける、上記機能部品に対する上記車幅方向の外側の位置に設けられている、請求項１〜４のいずれか一項に記載のデフロスタダクト。
【発明の詳細な説明】
【技術分野】
【０００１】
本発明は、車載用デフロスタの配管として用いられるデフロスタダクトに関する。
【背景技術】
【０００２】
フロントガラスやサイドガラスに空調エアを吹き出すことで曇り又は霜の除去を行う車載用のデフロスタにおいては、複数の吹出口を備えるデフロスタダクトが用いられている。デフロスタダクトは、インストルメントパネルの裏側に配置されており、空調ユニットによって送出される空調エアを複数の吹出口へ導くために用いられる。例えば、特許文献１には、空調エアが導入される導入口と、空調エアが吹き出されるフロントデフロスタ用のベント（フロント主吹出口）と、左右両側のベントとを備えるデフロスタノズル（デフロスタダクト）が開示されている。デフロスタノズルのフロント主吹出口は、フロントガラスの広い範囲に亘って空調エアを吹き出すために、インストルメントパネルの中央部分における、車幅方向の広い範囲に亘って設けられている。
【先行技術文献】
【特許文献】
【０００３】
【特許文献１】特開２０１０−５２６２９号公報
【発明の概要】
【発明が解決しようとする課題】
【０００４】
近年、フロントガラス等に映像を投影するヘッドアップディスプレイ装置等の機能部品がインストルメントパネルの裏側に配置されることがある。この場合、特許文献１等に記載されるフロント主吹出口が、機能部品を配置する際の障害物となる。そして、機能部品との干渉を避けるためにフロント主吹出口の車幅方向の寸法を小さくした場合には、フロントガラスの車幅方向の外側部分にまで空調エアが到達せず、この外側部分に発生した曇り又は霜を除去することができないおそれがある。そこで、フロントガラスの車幅方向の外側部分における曇り又は霜を除去するために、フロント主吹出口に、中央部分から外側部分に向けられたフィンを設けることが考えられる。しかし、この場合には、フロント主吹出口における空調エアの圧力損失が大きくなり、フロントガラスの広い範囲に亘って曇り又は霜の除去ができなくなるおそれがある。
【０００５】
一方、インストルメントパネルの裏側において、フロントガラスの車幅方向の外側部分へ空調エアを吹き出すための専用ダクトを設けることも考えられる。しかし、この場合には、インストルメントパネルの裏側に、専用ダクトを配置するための新たなスペースを確保する必要が生じ、機能部品を配置するスペースを圧迫することになる。
【０００６】
本発明は、かかる背景に鑑みてなされたものであり、インストルメントパネルの裏側に機能部品を配置するスペースを確保して、フロントガラス及びサイドガラスの曇り又は霜の除去を効果的に行うことができるデフロスタダクトを提供しようとするものである。
【課題を解決するための手段】
【０００７】
本発明の一態様は、車両のインストルメントパネルの裏側において、車幅方向に延びて配置されるデフロスタダクトであって、
該デフロスタダクトの中央部分に設けられ、フロントガラスに向けて空調エアを吹き出すためのフロント主吹出口と、
上記デフロスタダクトの左右の端部に設けられ、サイドガラスに向けて空調エアを吹き出すためのサイド吹出口と、
上記デフロスタダクトにおける、上記フロント主吹出口と上記サイド吹出口との間に設けられ、上記フロントガラスに向けて空調エアを吹き出すためのフロント副吹出口と、を備えるデフロスタダクトにある。
【発明の効果】
【０００８】
上記デフロスタダクトは、フロントガラス用のフロント主吹出口及びサイドガラス用のサイド吹出口の他に、フロント主吹出口によるフロントガラスの曇り又は霜の除去を補助するためのフロント副吹出口を備えている。そして、フロント副吹出口をフロント主吹出口とは別に設けることにより、フロント主吹出口の車幅方向の寸法を小さくすることができる。また、フロント主吹出口とフロント副吹出口とが別々に設けられていることにより、デフロスタダクトにおける、フロント主吹出口とフロント副吹出口との間に配置される部分の配管形状を任意に変更することができる。これにより、インストルメントパネルの裏側において、フロント主吹出口とフロント副吹出口との間に、種々の機能部品を配置するスペースを確保することができる。
【０００９】
また、フロント副吹出口はフロント主吹出口から離れた適切な位置に、適切な大きさで設けることができる。そのため、デフロスタダクトに、フロント副吹出口を設けることによる圧力損失が生じにくくし、フロント主吹出口及びフロント副吹出口からだけでなく、サイド吹出口からも適切に空調エアを吹き出させることができる。また、デフロスタダクトにフロント副吹出口を設けることにより、デフロスタダクトとは別の専用ダクトを用いる必要もなくなり、機能部品を配置するスペースを適切に確保することができる。
【００１０】
それ故、上記デフロスタダクトによれば、インストルメントパネルの裏側に機能部品を配置するスペースを確保して、フロントガラス及びサイドガラスの曇り又は霜の除去を効果的に行うことができる。
【図面の簡単な説明】
【００１１】
【図１】実施形態における、デフロスタダクトの平面図。
【図２】実施形態における、デフロスタダクトの正面図。
【図３】図２のIII−III線矢視断面図。
【図４】実施形態における、パネルの平面図。
【発明を実施するための形態】
【００１２】
以下に、上述したデフロスタダクトの実施形態につき、図１〜図４を参照して説明する。
本形態のデフロスタダクト１は、図１、図２に示すごとく、車両のインストルメントパネル１１の裏側において、車幅方向Ｗに延びて配置されており、フロント主吹出口２、サイド吹出口３及びフロント副吹出口４を有する。
【００１３】
フロント主吹出口２は、デフロスタダクト１の中央部分に設けられている。フロント主吹出口２は、フロントガラス１２に向けて空調エアＡを吹き出すものである。サイド吹出口３は、デフロスタダクト１の左右の端部に設けられている。サイド吹出口３は、サイドガラス１３に向けて空調エアＡを吹き出すものである。フロント副吹出口４は、デフロスタダクト１における、フロント主吹出口２とサイド吹出口３との間に設けられている。フロント副吹出口４は、フロントガラス１２に向けて空調エアＡを吹き出すものである。
【００１４】
次に、本形態のデフロスタダクト１につき、さらに詳説する。
ここで、以下の図１〜図４においては、車両の車長方向を符号Ｌで示し、車長方向Ｌの前方側を符号Ｌ１で示し、車長方向Ｌの後方側を符号Ｌ２で示す。また、車高方向を符号Ｈで示す。
【００１５】
図１、図２に示すごとく、本形態のデフロスタダクト１は、インストルメントパネル１１の裏側に配置されており、図示しない空調ユニットによって送出される空調エアＡをフロント主吹出口２、サイド吹出口３及びフロント副吹出口４へ導くために用いるダクトである。デフロスタダクト１における、フロント主吹出口２の下方には、空調ユニットから送出される空調エアＡが導入されるエア導入ダクト部２３が形成されている。デフロスタダクト１は、エア導入ダクト部２３から左右に分岐して形成されており、運転席側Ｄに位置する運転席側ダクト部１Ｄと、助手席側Ｐに位置する助手席側ダクト部１Ｐとを有する。フロント主吹出口２、サイド吹出口３及びフロント副吹出口４は、運転席側ダクト部１Ｄ及び助手席側ダクト部１Ｐのそれぞれに形成されている。
【００１６】
インストルメントパネル１１は、車両室内の前方であって、フロントガラス１２の下方に配置された内装部品である。インストルメントパネル１１には、種々の計器類、操作スイッチ等が設けられている。
インストルメントパネル１１の上面における左右の端部には、インストルメントパネル１１の表面の一部を形成する、内装部品としてのパネル５が配置されている。パネル５の裏側には、車両におけるフロント側のスピーカ５０が配置されている。また、フロント副吹出口４は、スピーカ５０の前側に並んでパネル５の裏側に配置されている。フロント副吹出口４をパネル５の裏側に配置することにより、フロント副吹出口４から吹き出される空調エアＡを、パネル５に設けられた貫通孔５１を介して、容易に車両室内へ導くことができる。
【００１７】
本形態のパネル５には、図３、図４に示すごとく、スピーカ５０からの出力音を車両室内へ出力させるとともにフロント副吹出口４から吹き出される空調エアＡを車両室内へ吹き出させるための複数の貫通孔５１が設けられている。本形態のパネル５は、複数の貫通孔５１がパネル５の表面の全体に設けられたパンチングメタルによって構成されている。これ以外にも、パネル５は、樹脂成形品によって構成することもできる。なお、スピーカ５０の出力音が出力される貫通孔と、フロント副吹出口４の空調エアＡが吹き出される貫通孔とをそれぞれ独立させて設けてもよい。
【００１８】
フロント主吹出口２は、デフロスタダクト１の中央部分において、上方に突出して設けられた中央ダクト部２１の左右に分かれて形成されている。中央ダクト部２１は、フロントガラス１２に向かうにつれて左右に拡大して形成されている。中央ダクト部２１内には、左右のフロント主吹出口２へ空調エアＡを整流して吹き出させるためのフィン２２が配置されている。
【００１９】
運転席側ダクト部１Ｄの先端部分及び助手席側ダクト部１Ｐの先端部分は、車両の後方に向けて屈曲されており、サイド吹出口３は、運転席側ダクト部１Ｄ及び助手席側ダクト部１Ｐの各先端に形成されている。各サイド吹出口３からは、フロント主吹出口２及びフロント副吹出口４から車両室内へ吹き出されなかった残りの空調エアＡが吹き出される。
【００２０】
運転席側ダクト部１Ｄ及び助手席側ダクト部１Ｐにおける、フロント主吹出口２とサイド吹出口３との間の位置には、フロント副吹出口４を設けるための分岐ダクト４１が分岐して形成されている。分岐ダクト４１は、運転席側ダクト部１Ｄ及び助手席側ダクト部１Ｐからフロントガラス１２に向けて分岐している。フロント副吹出口４を分岐ダクト４１に設けることにより、フロントガラス１２に向けた空調エアＡの吹き出しを容易にすることができる。
【００２１】
フロント主吹出口２及びフロント副吹出口４からフロントガラス１２の全体に空調エアＡを吹き出すことにより、フロント主吹出口２のフィン２２のみでフロントガラス１２の全体に空調エアＡを吹き出す場合に比べて圧力損失を抑えることができる。また、フロント主吹出口２、サイド吹出口３及びフロント副吹出口４の各開口面積を、吹き出させる空調エアＡの流量に応じて適宜設定することができる。
【００２２】
インストルメントパネル１１の裏側における、フロント主吹出口２の形成箇所に対する車幅方向Ｗの外側の位置には、機能部品としてのヘッドアップディスプレイ装置６が配置されている。ヘッドアップディスプレイ装置６は、フロントガラス１２の運転席側Ｄの部位に、車両における種々の状態の情報等を映像として投影するものである。機能部品は、ヘッドアップディスプレイ装置６とする以外にも、例えば、空調用の部品、ＥＣＵ類、補強部材等とすることもできる。
【００２３】
運転席側ダクト部１Ｄにおける、フロント主吹出口２とフロント副吹出口４との間の位置には、ヘッドアップディスプレイ装置６との干渉を避けるために下方に屈曲した屈曲部２４が形成されている。ヘッドアップディスプレイ装置６は、屈曲部２４の上方に形成されたスペースを利用して、インストルメントパネル１１の裏側に配置されている。フロント副吹出口４は、運転席側ダクト部１Ｄにおける、ヘッドアップディスプレイ装置６に対する車幅方向Ｗの外側の位置に設けられている。
【００２４】
本形態のデフロスタダクト１の運転席側ダクト部１Ｄ及び助手席側ダクト部１Ｐは、フロントガラス１２用のフロント主吹出口２及びサイドガラス１３用のサイド吹出口３の他に、フロント主吹出口２によるフロントガラス１２の曇り又は霜の除去を補助するためのフロント副吹出口４を備えている。そして、フロント副吹出口４をフロント主吹出口２とは別に設けることにより、フロント主吹出口２の車幅方向Ｗの寸法を小さくすることができる。また、フロント主吹出口２とフロント副吹出口４とが別々に設けられていることにより、運転席側ダクト部１Ｄの屈曲部２４を、下方に屈曲させてヘッドアップディスプレイ装置６の下方に配置することができる。これにより、インストルメントパネル１１の裏側において、フロント主吹出口２とフロント副吹出口４との間にヘッドアップディスプレイ装置６を配置するスペースを確保することができる。また、フロント副吹出口４は、運転席側ダクト部１Ｄにおける、ヘッドアップディスプレイ装置６に対する車幅方向Ｗの外側に設けることができる。
【００２５】
また、フロント副吹出口４はフロント主吹出口２から離れた適切な位置に、適切な大きさで設けることができる。そのため、デフロスタダクト１に、フロント副吹出口４を設けることによる圧力損失が生じにくくし、フロント主吹出口２及びフロント副吹出口４からだけでなく、サイド吹出口３からも適切に空調エアＡを吹き出させることができる。また、フロント副吹出口４をパネル５の裏側に配置することにより、スピーカ５０の出力と空調エアＡの吹出しとを複数の貫通孔５１によって共用することができると共に、インストルメントパネル１１の意匠性を損なうことなく、フロント副吹出口４をインストルメントパネル１１に配置することができる。
【００２６】
また、デフロスタダクト１から分岐した分岐ダクト４１にフロント副吹出口４を設けることにより、デフロスタダクト１とは別の専用ダクトを用いる必要もなくなり、ヘッドアップディスプレイ装置６を配置するスペースを適切に確保することができる。
【００２７】
それ故、デフロスタダクト１によれば、インストルメントパネル１１の裏側にヘッドアップディスプレイ装置６を配置するスペースを確保して、フロントガラス１２及びサイドガラス１３の曇り又は霜の除去を効果的に行うことができる。
【００２８】
本発明は上記実施形態に限定されるものではなく、その要旨を逸脱しない範囲において種々の実施形態に適用することが可能である。
【符号の説明】
【００２９】
１  デフロスタダクト
１１  インストルメントパネル
１２  フロントガラス
１３  サイドガラス
２  フロント主吹出口
３  サイド吹出口
４  フロント副吹出口
４１  分岐ダクト
５  パネル
５０  スピーカ
５１  貫通孔
６  機能部品
【図１】
2017144800.tif 000003
【図２】
2017144800.tif 000004
【図３】
2017144800.tif 000005
【図４】
2017144800.tif 000006